(57)【要約】【課題】使い勝手がよく、被施療部に対して良好に振動マッサージを行うことができるマッサージ機を提供する。【解決手段】振動発生部材４と、振動発生部材４により振動する施療部材５と、を有する。施療部材５は、被施療部を挟持する対の挟持部３１と、挟持部３１を被施療部に常時当接させるべく、当該対の挟持部３１の内少なくとも一方を他方側へ付勢する付勢手段３４と、を有する。より具体的には、施療部材５は、挟持部３１を支持する支持部３０を有し、対の挟持部３１は、その端部が互いに近接離反する方向へ回動可能であり、その基部が互いに離間して支持部３０に支持されている。【選択図】      図１
2014042731.tif 000002
【特許請求の範囲】
【請求項１】
振動発生部材と、
振動発生部材により振動する施療部材と、を有し、
前記施療部材は、
被施療部を挟持する対の挟持部と、
前記挟持部を被施療部に常時当接させるべく、当該対の挟持部の内少なくとも一方を他方側へ付勢する付勢手段と、
を有することを特徴とするマッサージ機。
【請求項２】
前記施療部材は、前記挟持部を支持する支持部を有し、
前記対の挟持部は、その端部が互いに近接離反する方向へ回動可能であり、その基部が互いに離間して前記支持部に支持されていることを特徴とする請求項１に記載のマッサージ機。
【請求項３】
前記対の挟持部は、互いに近接離反する方向に板面をなす板材により構成されていることを特徴とする請求項１又は２に記載のマッサージ機。
【請求項４】
前記振動発生部材は、モータと、当該モータ駆動により回転する偏心錘と、を有し、
前記施療部材は、前記偏心錘の回転中心に対して偏心して取り付けられていることを特徴とする請求項１〜３のいずれかに記載のマッサージ機。
【請求項５】
使用者が把持する把持部が設けられた本体部を有し、
前記施療部材は、前記本体部に設けられていることを特徴とする請求項１〜４のいずれかに記載のマッサージ機。
【請求項６】
載置面に載置され、前記モータを収容するベース部と、
前記モータと前記偏心錘の間に設けられ、当該モータ駆動により回転する長寸のフレキシブルシャフトと、
を有することを特徴とする請求項５に記載のマッサージ機。
【請求項７】
前記施療部材は、前記本体部に対して着脱可能に構成されていることを特徴とする請求項５又は６に記載のマッサージ機。
【発明の詳細な説明】
【技術分野】
【０００１】
本発明はマッサージ機に関する。より詳しくは、使い勝手がよく、被施療部に対して良好に振動マッサージを行うことができるマッサージ機に関する。
【背景技術】
【０００２】
従来、手持ち部２と、偏心分銅９の回転により振動してマッサージを行うヘッド３と、を有する手持ち式マッサージ機が知られている。この手持ち式マッサージ機は、手持ち部２を手で保持して、ヘッド３を被施療部に押し付けることにより、被施療部に振動マッサージを与えることができる（例えば、特許文献１参照）。
【０００３】
また、手持ち部２を有するケーシング３と、ケーシング３の側面に突設された一対の揉み玉４と、揉み玉４に振動を与える偏心分銅４０を有する加振手段３８と、一方の揉み玉４Ｆを他方の揉み玉４Ｒに対して揺動させて揉みマッサージを行わせる揺動手段５と、を有する手持ち式マッサージ機１が知られている。この手持ち式マッサージ機１は、一対の揉み玉４による挟み込みと、加振手段３８による振動により、被施療部に揉みマッサージと振動マッサージを与えることができる（例えば、特許文献２参照）。
【先行技術文献】
【特許文献】
【０００４】
【特許文献１】特開昭６１−２４０９５７号公報
【特許文献２】特開平６−２３７９６７号公報
【発明の概要】
【発明が解決しようとする課題】
【０００５】
しかし、上記特許文献１の手持ち式マッサージ機は、使用者がヘッド３を被施療部に常時押し付けておかなければ、振動を適切に伝達することができず、使い勝手が悪い。また、単一のヘッド３による振動マッサージでは、刺激が単調である。
また、上記特許文献２の手持ち式マッサージ機１は、対の揉み玉４の近接離反を繰り返して揉みマッサージを行う構成であり、揉み玉４を被施療部に常時当接させておくものではないため、被施療部に対して振動を適切に伝達することができない。また、揉み玉４を揺動させる揺動手段５は、減速伝動機構１０や駆動モーター７等により構成されており、構造が複雑である。
【０００６】
そこで本発明は、上述した問題を解消するためになされたものであり、使い勝手がよく、被施療部に対して良好に振動マッサージを行うことができるマッサージ機を提供することを目的とする。
【課題を解決するための手段】
【０００７】
本発明は、振動発生部材と、振動発生部材により振動する施療部材と、を有し、前記施療部材は、被施療部を挟持する対の挟持部と、前記挟持部を被施療部に常時当接させるべく、当該対の挟持部の内少なくとも一方を他方側へ付勢する付勢手段と、を有することを特徴とする。
このような構成とすることにより、施療部が被施療部に当接した状態で保持されるので、使用者が施療部を被施療部に押し付ける必要がなく、使い勝手がよい。例えば、このマッサージ機を手持ち式とした場合は、使用者はマッサージ機を把持しているだけで、良好な振動マッサージを得ることができる。また、対の挟持部が被施療部を挟持した状態で振動するため、当該被施療部を複数方向から振動させることができ、立体的な刺激を与えることができる。また、付勢手段により被施療部を挟持する構成であるため、構造が簡単である。
【０００８】
また、前記施療部材は、前記挟持部を支持する支持部を有し、前記対の挟持部は、その端部が互いに近接離反する方向へ回動可能であり、その基部が互いに離間して前記支持部に支持されていることが好ましい。
このような構成とすることにより、支持部に被施療部を当接させた状態で、挟持部により被施療部を挟持することができるので、被施療部に対して施療部材を安定させることができる。また、挟持部に加えて支持部も振動させた場合は、少なくとも３方向から振動させることとなり、更に立体的な刺激を与えることができる。
【０００９】
また、前記対の挟持部は、互いに近接離反する方向に板面をなす板材により構成されていることが好ましい。
このような構成とすることにより、施療部材を装着又は離脱させる際、対の挟持部を手でつかんで離反させることができる。
【００１０】
また、前記振動発生部材は、モータと、当該モータ駆動により回転する偏心錘と、を有し、前記施療部材は、前記偏心錘の回転中心に対して偏心して取り付けられていることが好ましい。
このような構成とすることにより、施療部材を振動させることができる。
【００１１】
また、使用者が把持する把持部が設けられた本体部を有し、前記施療部材は、前記本体部に設けられていることが好ましい。
このような構成とすることにより、使用者が所望する部位に使用することができる。
【００１２】
また、載置面に載置され、前記モータを収容するベース部と、前記モータと前記偏心錘の間に設けられ、当該モータ駆動により回転する長寸のフレキシブルシャフトと、を有することが好ましい。
このような構成とすることにより、本体部を軽くすることができ、使い勝手がよい。
【００１３】
また、前記施療部材は、前記本体部に対して着脱可能に構成されていることが好ましい。
このような構成とすることにより、他の形態の施療部材と交換することができる。
【発明の効果】
【００１４】
本発明によれば、使い勝手がよく、被施療部に対して良好に振動マッサージを行うことができる。
【図面の簡単な説明】
【００１５】
【図１】本発明の一実施形態に係るマッサージ機を示す図である。
【図２】ブラケット、偏心錘、及び台座を軸方向の施療部材側から見た図である。
【図３】フレキシブルシャフトを軸方向に切断したときの断面図である。
【図４】施療部材を示す図である。
【図５】マッサージ機を顔に使用するときの説明図である。
【図６】マッサージ機を肩に使用するときの説明図である。
【図７】マッサージ機を腹部に使用するときの説明図である。
【図８】マッサージ機を臀部に使用するときの説明図である。
【図９】マッサージ機を上肢に使用するときの説明図である。
【図１０】マッサージ機を下肢に使用するときの説明図である。
【図１１】変形例の施療部材を示す図である。
【図１２】本発明の他の実施形態に係るマッサージ機を示す図である。
【図１３】本発明の他の実施形態に係るマッサージ機を示す図である。
【図１４】本発明の他の実施形態に係るマッサージ機を示す図である。
【図１５】本発明の他の実施形態に係るマッサージ機を示す図である。
【図１６】本発明の他の実施形態に係るマッサージ機を示す分解図である。
【図１７】ブラケット、偏心錘、台座、及び規制部材を軸方向の施療部材側から見た図である。
【発明を実施するための形態】
【００１６】
［構成］
以下、本発明の一実施形態に係るマッサージ機１の構成について説明する。図１は、本発明の一実施形態に係るマッサージ機１を示す図である。図２は、ブラケット３ｂ、偏心錘８、及び台座１２を軸方向の施療部材５側から見た図である。図３は、フレキシブルシャフト７を軸方向に切断したときの断面図である。図４は、施療部材５を示す図である。なお、以下の説明では、後述する偏心錘８の回転中心Ｃ１の軸方向を「軸方向」とし、軸方向と直交する方向を「幅方向」として説明する。
図１に示すとおり、本発明のマッサージ機１は、主として、振動を発生させる振動発生部材４と、被施療部に当接させて振動を与える施療部材５と、を有している。そして、この実施形態では、使用者が把持する把持部３ａが設けられた本体部３と、モータ６を収容するベース部２と、更に有している。
【００１７】
ベース部２は、床面等の載置面に安定して載置することができるよう底面が略平坦である底板２ａと、底板２ａから立設されモータ６の出力軸６ａを支持するブラケット２ｂと、後述するフレキシブルシャフト７の駆動側軸端部２０を支持するブラケット２ｃを有し、底板２ａの上面にはモータ６が取り付けられている。また、ベース部２には、モータ６の駆動を制御する制御部１６が設けられている。本体部３は、軸方向に延設された把持部３ａを有しており、使用者が把持部３ａを手に持ってマッサージ機１を使用できるようになっている。この把持部３ａには、主電源や、偏心錘の回転速度を変更するための速度調整部を備えた操作部１３が設けられている。なお、この操作部１３は、ベース部２に設けてもよく、この場合は、制御部１６と操作部１３を電気的に接続する配線が短くてすむ。また、本体部３には、軸方向先端部にフレキシブルシャフト７の従動側軸端部２１を支持するブラケット３ｂが設けられている。図２に示す通り、このブラケット３ｂは軸方向から見て略円形をなしている。
【００１８】
図１及び図２に示す通り、振動発生部材４は、モータ６と、モータ駆動により回転軸周りに回転する偏心錘８と、モータ６と偏心錘８を連結するとともにモータ駆動を偏心錘８に伝達するフレキシブルシャフト７と、により構成されている。この偏心錘８は、フレキシブルシャフト７の従動側軸端部２２に対して一体回転するよう取り付けられた円盤部９と、円盤部９に設けられた錘部１０と、により構成されている。そして、偏心錘８は、本体部３の内部に収容されている。この円盤部９は、その回転中心Ｃ１がフレキシブルシャフト７の従動側軸端部２２の軸心と一致している。また、錘部１０は、円盤部９の回転中心Ｃ１から偏心した位置に設けられている。そして、円盤部９の施療部材５側の面には、回転中心Ｃ１に対して偏心し、且つ、錘部１０とは回転中心Ｃ１を挟んで略対角に位置する偏心軸１１が設けられている。この偏心軸１１には、後述する施療部材５を着脱可能とするための台座１２が取り付けられている。この台座１２は、偏心軸１１を回転中心Ｃ２として回転する。本実施形態では、台座１２は、偏心軸１１に対して相対回転しないよう固定的に取り付けられている。
【００１９】
図１及び図３に示す通り、フレキシブルシャフト７は、その軸方向に長寸であり、その一端部がモータ６の出力軸６ａに取り付けられ、その他端部が偏心錘８の円盤部９に取り付けられている。より具体的には、このフレキシブルシャフト７は、モータ６の出力軸６ａに取り付けられた一般剛材等よりなる駆動側軸端部２０と、円盤部９に取り付けられた一般剛材等よりなる従動側軸端部２１と、両軸端部２０，２１間に設けられ、１本のワイヤ上に複数層のワイヤを巻装して作製されたインナーシャフト２２と、インナーシャフト２２の略全周を被覆する軟質の樹脂等よりなるアウターチューブ２３と、により構成されている。そして、このフレキシブルシャフト７は、モータ６が駆動されるとモータ６の出力軸６ａと一体回転して、偏心錘８を回転中心Ｃ１周りに回転させる。
【００２０】
図１及び図４に示す通り、施療部材５は、本体部３に設けられており、被施療部が当接する支持部３０と、支持部３０の両端部に設けられた対の挟持部３１を有している。支持部３０は、被施療部が当接する当接面３０ａと、当接面３０ａの反対側であり、施療部材５を本体部３（具体的には前述した台座１２）に対して着脱可能とするためのホルダ３２が取り付けられた取付面３０ｂと、を有する板材である。このホルダ３２は、偏心軸１１の軸方向に凹んだ凹部（図示せず）を有しており、この凹部は、台座１２の外形よりわずかに大きく形成されている。台座１２にホルダ３２を被せて装着することにより、この施療部材５によりマッサージすることができ、台座１２からホルダ３２を離脱させて他の施療部材（例えば、後述する施療部材４０）に交換してマッサージすることもできる。
【００２１】
挟持部３１は、その基部が支持部３０の端部にヒンジ３３を介して回動可能に設けられており、その端部が互いに近接することにより被施療部を挟持することができる。また、挟持部３１は、互いに近接離反する方向に被施療部が当接する当接面３１ａ（板面）を有する板材である。そして、支持部３０と挟持部３１の間には、対の挟持部３１の端部を互いに近接する方向に付勢する付勢手段３４が設けられている。この付勢手段３４は、例えば、ヒンジ３３の回動軸３２ａに巻装されたねじりばね等により構成することが好ましい。
【００２２】
なお、付勢手段３４は、対の挟持部３１の内少なくとも一方を他方側へ付勢する構成であればよい。この付勢手段３４により、使用者が施療部材５を被施療部に常時押し付けなくても、施療部材５（対の挟持部３１）を被施療部に常時当接させておくことができるため、使い勝手がよく、振動発生部材４による振動を被施療部に適切に伝達することができる。
【００２３】
［使用例］
以下、このマッサージ機１の使用例について説明する。図５は、マッサージ機１を顔に使用するときの説明図である。図６は、マッサージ機１を肩に使用するときの説明図である。図７は、マッサージ機１を腹部に使用するときの説明図である。図８は、マッサージ機１を臀部に使用するときの説明図である。図９は、マッサージ機１を上肢に使用するときの説明図である。図１０は、マッサージ機１を下肢に使用するときの説明図である。なお、図５〜図１０では、使用者の身体は二点鎖線で示している。
【００２４】
以下の説明で用いる方向の概念は、立位の使用者が正面を向いて見た方向と一致するものとする。また、以下の説明における「上肢」とは、上腕、前腕、及び手部の内少なくともいずれか１つの部位を指し、「下肢」とは、大腿部、下腿、及び足部の内少なくともいずれか１つの部位を指す。このマッサージ機１を使用する際は、板材である対の挟持部３１を手でつかんで、付勢手段３４の付勢力に抗して互いに離反させ、施療部材５を被施療部に装着させる。
【００２５】
図５に示す通り、顔に使用する場合は、例えば、支持部３０にあごを当接させ、対の挟持部３１を頬に当接させる。このように使用した場合は、あごと両頬の３箇所を同時に振動させることができる。図６に示す通り、肩に使用する場合は、例えば、支持部３０を肩の上面に当接させ、対の挟持部３１を肩の前後に当接させる。このように使用した場合は、肩の上面、前面、及び後面の３箇所を同時に振動させることができる。
【００２６】
図７に示す通り、腹部に使用する場合は、例えば、支持部３０を腹の前面に当接させ、対の挟持部３１をわき腹近傍に当接させる。このように使用した場合は、腹の前面及び左右のわき腹の３箇所を同時に振動させることができる。あるいは、支持部３０をわき腹に当接させ、対の挟持部３１を腹の前面及び腰部の側部付近に当接させてもよい。このように使用した場合は、左右いずれか一方のわき腹、腹の前面、及び腰の側部付近の３箇所を同時に振動させることができる。図８に示す通り、臀部に使用する場合は、例えば、支持部３０及び対の挟持部３１を臀部の曲面に沿わせるように当接させる。このように使用した場合は、臀部の広範囲を振動させることができる。
【００２７】
図９は、右の上肢を示しており、上腕、前腕、及び手部に施療部材５を位置させた状態を示している。図９に示す通り、上肢に使用する場合は、例えば、支持部３０を上肢の内側面（手を開いた状態で親指に連なる部分）に当接させ、対の挟持部３１を上肢における上面（手を開いた状態で手の甲に連なる部分）及び下面（手を開いた状態で手の平に連なる部分）に当接させる。このように使用した場合は、上肢の内側面、上面、及び下面の３箇所を同時に振動させることができる。本実施形態の施療部材５は、付勢手段３４により対の挟持部３１が互いに近接するよう付勢されているため、手の平や指のように細い（厚みの薄い）箇所に対しても、挟持部３１を当接させて振動を与えることができる。
【００２８】
図１０は、右の下肢を示しており、大腿部、下腿、及び足部に施療部材５を位置させた状態を示している。図１０に示す通り、大腿部に使用する場合は、例えば、支持部３０を大腿部の前面に当接させ、対の挟持部３１を大腿部の内側面及び外側面に当接させる。このように使用した場合は、大腿部の前面及び両側面の３箇所を同時に振動させることができる。また、下腿に使用する場合は、例えば、支持部３０をふくらはぎの側面（図１０では内側面）に当接させ、対の挟持部３１をすね及びふくらはぎの背面に当接させる。このように使用した場合は、ふくらはぎの側面と背面、及びすねの３箇所を同時に振動させることができる。また、足部に使用する場合は、例えば、支持部３０をつま先に当接させ、対の挟持部３１を足裏及び足の甲に当接させる。このように使用した場合は、つま先、足裏、及び足の甲の３箇所を同時に振動させることができる。本実施形態の施療部材５は、付勢手段３４により対の挟持部３１が互いに近接するよう付勢されているため、足の指のように細い（厚みの薄い）箇所に対しても、挟持部３１を当接させて振動を与えることができる。
【００２９】
このように、支持部３０に被施療部を当接させた状態で挟持部３１により被施療部を挟持することができるので、被施療部に対して施療部材５を安定させることができる。よって、マッサージを始める際の施療部材５の位置合わせや、マッサージ中の施療部材５の位置保持が容易となり、使い勝手がよく、良好に振動マッサージを行うことができる。また、被施療部を複数方向（本実施形態では３方向）から振動させることができ、立体的な刺激を与えることができる。
【００３０】
［施療部材の変形例］
以下、施療部材の変形例について説明する。図１１は、変形例の施療部材４０を示す図である。この施療部材４０は、台座１２に対して着脱可能とするためのホルダ４１と、被施療部に対して刺激を与えるローラ４２と、を有している。このホルダ４１は、偏心軸１１の軸方向に凹んだ凹部（図示せず）を有しており、この凹部は、台座１２の外形よりわずかに大きく形成されている。また、ホルダ４１の凹部と反対側の面には、任意の方向に回転可能な複数のローラ４２が設けられている。この施療部材４０を使用した場合は、振動発生部材４による振動と、ローラ４２による摺擦と、を被施療部に与えることができる。そして、台座１２にホルダ４１を被せて装着することにより、この施療部材４０によりマッサージすることができ、台座１２からホルダ４１を離脱させて他の施療部材（例えば、前述した施療部材５）に交換してマッサージすることもできる。
【００３１】
［他の実施形態］
以下、本発明の他の実施形態に係るマッサージ機５０，６０，７０，８０の構成について説明する。図１２は、本発明の他の実施形態に係るマッサージ機５０を示す図である。図１３は、本発明の他の実施形態に係るマッサージ機６０を示す図である。図１４は、本発明の他の実施形態に係るマッサージ機７０を示す図である。図１５は、本発明の他の実施形態に係るマッサージ機８０を示す図である。なお、以下では、前述したマッサージ機１と同一の構成については、同一符号を付してその説明を省略し、異なる構成についてのみ説明する。マッサージ機５０，６０，７０，８０とマッサージ機１の最も大きな相違点は、モータ６を本体部に内蔵し、フレキシブルシャフト７を省略することにより、振動発生部材１４をモータ６及び偏心錘８により構成した点にある。従って、マッサージ機全体のサイズがコンパクトである。
【００３２】
図１２に示す通り、本体部５１は、使用者が把持する把持部５１ａと、振動発生部材１４を収容する収容部５１ｂと、により一体的に構成されている。また、把持部５１ａは、軸方向と直交する方向に延設されており、本体部５１は、軸方向と直交する方向から見て略Ｌ字型に形成されている。把持部５１ａの先端部には電源コード１５が取り付けられている。
【００３３】
図１３に示す通り、本体部６１は、使用者が把持する把持部６１ａと、振動発生部材１４を収容する収容部６１ｂと、により一体的に構成されている。また、把持部６１ａは、軸方向に延設されており、本体部６１は、軸方向と直交する方向から見て略ラッパ型に形成されている。把持部６１ａの先端部には電源コード１５が取り付けられている。この構成によれば、使用者は順手及び逆手のいずれであっても把持部６１ａを把持しやすく、マッサージする部位に応じて持ち方を選択することができる。
【００３４】
図１４に示す通り、本体部７１は、使用者が把持する把持部７１ａと、振動発生部材１４を収容する収容部７１ｂと、により一体的に構成されている。この把持部７１ａは、軸方向と直交する方向に延設された第１把持部７２と、軸方向に延設された第２把持部７３と、を有している。そして、第１把持部７２と第２把持部７３の両方に操作部１３が設けられている。収容部７１ｂの所定位置には電源コード１５が取り付けられている。この構成によれば、使用者はマッサージする部位に応じて持ち方を選択することができる。
【００３５】
図１５に示す通り、本体部８１は、使用者が把持する把持部８１ａと、振動発生部材１４を収容する収容部８１ｂと、施療部材５を被施療部に両手を載せて押し付けることができる押さえ部８１ｃと、により一体的に構成されている。また、把持部８１ａは、軸方向に延設されており、本体部８１は、軸方向と直交する方向から見て略Ｔ字型に形成されている。把持部８１ａの先端部には操作部１３が設けられ、収容部８１ｂの所定位置には電源コード１５が取り付けられている。また、本体部８１は、軸方向における施療部材５側に、幅方向に突出した押さえ部８１を有しており、この押さえ部８１ｃに両手を載せて施療部材５（特に支持部３０）を被施療部に押し付けることができる。そして、押さえ部８１ｃの表面は、施療部材５を押さえ付ける際に手が滑らないよう、シリコンゴム等よりなる摩擦部材８２により被覆されている。この構成によれば、使用者は順手及び逆手のいずれであっても把持部８１ａを把持しやすく、マッサージする部位に応じて持ち方を選択することができる。また、非力な女性や高齢者であっても、両手で施療部材５を被施療部に押し付けることができる。
【００３６】
以下、本発明の他の実施形態に係るマッサージ機９０の構成について説明する。図１６は、本発明の他の実施形態に係るマッサージ機９０を示す分解図である。図１７は、ブラケット３ｂ、偏心錘８、台座１２、及び規制部材１７を軸方向の施療部材５側から見た図である。なお、以下では、前述したマッサージ機１と同一の構成については、同一符号を付してその説明を省略し、異なる構成についてのみ説明する。
【００３７】
このマッサージ機９０においては、台座１２が偏心軸１１に対して、回転中心Ｃ２周りに相対回転可能に取り付けられている。そして、台座１２の回転中心Ｃ１周りの公転を許容し、回転中心Ｃ２周りの自転は規制する規制部材１７を有している。この規制部材１７は、本体部３（具体的には、ブラケット３ｂ）に嵌合して固定する外枠部１８と、外枠部の内側に張設された伸縮性を有する生地等よりなる伸縮部１９と、により構成されており、台座１２とホルダ３２の間に着脱自在に設けられている。この規制部材１７は、軸方向から見て略円形をなし、軸方向を回転中心として本体部３に対して回転させることができる。
【００３８】
ホルダ３２は、本体部３に固定された規制部材１７を介して台座１２に固定されるため、台座１２の回転中心Ｃ２周りの自転は伸縮部１９の伸長範囲内に規制される。すなわち、施療部材５は、回転中心Ｃ２周りに３６０度回転（自転）することなく規制されている。一方、台座１２の回転中心Ｃ１周りの公転によっては、伸縮部１９が伸長限界に達することがないように構成されている。すなわち、施療部材５は、回転中心Ｃ１周りに公転することは許容されている。
【００３９】
このような構成とすることにより、モータ６による挟持部３１の近接離反方向が変更されてしまうことを防止できる。従って、マッサージ機９０の動作を停止せずに、ある被施療部から他の被施療部に施療部材５を移動させた場合であっても、施療部材５が回転中心Ｃ２周りに不用意に回転することが防止されて安全である。また、規制部材１７を本体部３から離脱させ、施療部材５を他の施療部材（例えば、前述した施療部材４０）に交換した場合は、他の施療部材に回転中心Ｃ１周りの公転と、回転中心Ｃ２周りの自転の両方を行わせることができ、複雑な振動を与えることができる。また、この規制部材１７を本体部３に対して回動可能とした場合、施療部材５の向き（具体的には、挟持部３１の近接離反方向）を調整することができる。
【００４０】
また、本発明のマッサージ機は、図示する形態に限らず、この発明の範囲内において他の形態のものであっても良い。
例えば、電源コード１５に代えて、電池でモータ６を駆動する構成としてもよい。また、偏心錘８の回転中心Ｃ１を、フレキシブルシャフト７の回転軸又はモータ６の出力軸６ａに対して、傾斜させて構成してもよい。また、マッサージ機１において、本体部３を床面から所定高さで支持するスタンドを有していてもよく、この場合は、本体部３を支持する高さ及び／又は本体部３の角度を可変であることが好ましい。また、モータ６と偏心錘８の間に減速器を介して、偏心錘８に働くトルクを向上させてもよい。また、対の挟持部３１は、当接面３１ａを互いに対向する方向に湾曲させた形状としてもよく、支持部３０は、当接面３０ａをその中央側が凹状となるよう湾曲させた形状としてもよい。この場合、曲面をなす被施療部に対して、施療部材５をフィットさせることができる。また、支持部３０及び挟持部３１の当接面３０ａ，３１ａの少なくとも一方には、突起部、ローラ、又はエアセル等よりなるマッサージ部材を設けてもよい。
【産業上の利用可能性】
【００４１】
本発明は、使い勝手がよく、被施療部に対して良好に振動マッサージを行うことができるマッサージ機に適用することができる。
【符号の説明】
【００４２】
１  マッサージ機
２  ベース部
３  本体部
３ａ  把持部
４  振動発生部材
５  施療部材
６  モータ
７  フレキシブルシャフト
８  偏心錘
３０  支持部
３１  挟持部
３４  付勢手段
Ｃ１  回転中心
４０  施療部材
５０  マッサージ機
６０  マッサージ機
７０  マッサージ機
８０  マッサージ機
９０  マッサージ機
【図１】
2014042731.tif 000003
【図２】
2014042731.tif 000004
【図３】
2014042731.tif 000005
【図４】
2014042731.tif 000006
【図５】
2014042731.tif 000007
【図６】
2014042731.tif 000008
【図７】
2014042731.tif 000009
【図８】
2014042731.tif 000010
【図９】
2014042731.tif 000011
【図１０】
2014042731.tif 000012
【図１１】
2014042731.tif 000013
【図１２】
2014042731.tif 000014
【図１３】
2014042731.tif 000015
【図１４】
2014042731.tif 000016
【図１５】
2014042731.tif 000017
【図１６】
2014042731.tif 000018
【図１７】
2014042731.tif 000019